(57)【要約】【課題】テープの欠陥部分を排除しながら、無駄になる部分を少なくすることができるテープ切出し装置を提供する。【解決手段】パンケーキＰから供給されるテープを複数種類の巻取長さでリールに巻き取って切り出すテープ切出し装置１であって、パンケーキＰからテープを供給するテープ供給装置１０と、テープ供給装置１０から供給されたテープをリールに巻き取るテープ巻取装置２０と、パンケーキＰ内におけるテープの欠陥部分の位置データを記憶する記憶部３０と、記憶部３０から読み出した位置データに基づいて、欠陥部分を含まないように一の種類の巻取り長さからより短い巻取長さで巻き取れないかを一番短い巻取長さまで判断し、巻き取れる巻取長さの組合せを計算した上で、テープの巻取長さを決定する巻取長決定部４０と、切断装置５０と、テープを切断装置５０に切断させる切断制御部６０とを有する。【選択図】図１
2007001771.tif 000002
【特許請求の範囲】
【請求項１】
パンケーキから供給されるテープを複数種類の巻取長さでリールに巻き取って切り出すためのテープ切出し装置であって、
前記パンケーキからテープを供給するテープ供給装置と、
前記テープ供給装置から供給されたテープをリールに巻き取るテープ巻取装置と、
前記パンケーキ内におけるテープの欠陥部分の位置データを記憶する記憶部と、
前記記憶部から読み出した位置データに基づいて、前記欠陥部分を含まないように一の種類の巻取長さからより短い巻取長さで巻き取れないかを一番短い巻取長さまで判断し、巻き取れる巻取長さの組合せを計算した上で、前記テープの巻取長さを決定する巻取長決定部と、
前記テープを切断する切断装置と、
前記巻取長決定部が決定した巻取長さのテープを前記テープ巻取装置が巻き取った時点で前記テープを前記切断装置に切断させる切断制御部と、を有することを特徴とするテープ切出し装置。
【発明の詳細な説明】
【技術分野】
【０００１】
本発明は、無駄になる部分を少なくするように、パンケーキからテープを切り出すテープ切出し装置に関する。
【背景技術】
【０００２】
一般に、磁気テープの製造工程において、ゴミ等の異物が混入した状態の磁性液が支持体（ベーステープ）に塗布されたり、支持体自体の欠陥によって局所的に塗布されない、などにより磁気テープに欠陥が発生することが知られている。
また、高密度記録用の磁気テープには、サーボライタによってサーボ信号が書き込まれているが、サーボ信号の書き込みミスによっても磁気テープに欠陥が発生する。
【０００３】
このような欠陥がある部分は、データの記録／再生を行うことができないため、欠陥部分を含んだ磁気テープを除去する必要がある。
【０００４】
除去する方法としては、以下のものがあげられる。
パンケーキに巻かれた磁気テープは、サーボ信号をサーボライタによって書き込まれた後、巻取装置によって製品リールに巻き取られるため、巻取装置において巻き取る際に、磁気テープのサーボ信号書き込みエラーを検査して、エラーがあった場合は欠陥部分がある製品リールであるとして、製品リールごと廃棄する、という方法がある。
【０００５】
また他には、予めパンケーキ内における欠陥部分の位置を記憶しておき、リールに巻き取る際に、所定の長さに欠陥部分がない場合は、そのまま巻き取り、欠陥部分がある場合は、その部位までを捨巻きリールに巻き取るように制御して、捨巻きリールに巻かれた磁気テープを廃棄する、という方法がある（たとえば、特許文献１参照）。
【特許文献１】特開平７−３７３６２号公報（第３頁〜第４頁、第１図）
【発明の開示】
【発明が解決しようとする課題】
【０００６】
しかしながら、一部に欠陥があるテープを何百メートルも巻いたリールごと廃棄するのでは、有効に活用できる部分の磁気テープも廃棄することになり、かなり無駄が多いという問題があった。
あるいは、パンケーキから単一の長さのテープを切り出すような生産計画であれば、それでも仕方ないが、長さが異なるテープを切り出す場合には、より無駄のない切り出し方の組合せがあるはずである。
【０００７】
そこで、本発明は上記問題に鑑みてなされたものであり、テープの欠陥部分を排除しながら、無駄になる部分を少なくすることができるテープ切出し装置を提供することを課題とする。
【課題を解決するための手段】
【０００８】
本発明は、前記課題を解決すべく構成されるものであり、請求項１に記載の発明は、パンケーキから供給されるテープを複数種類の巻取長さでリールに巻き取って切り出すためのテープ切出し装置であって、前記パンケーキからテープを供給するテープ供給装置と、前記テープ供給装置から供給されたテープをリールに巻き取るテープ巻取装置と、前記パンケーキ内におけるテープの欠陥部分の位置データを記憶する記憶部と、前記記憶部から読み出した位置データに基づいて、前記欠陥部分を含まないように一の種類の巻取長さからより短い巻取長さで巻き取れないかを一番短い巻取長さまで判断し、巻き取れる巻取長さの組合せを計算した上で、前記テープの巻取長さを決定する巻取長決定部と、前記テープを切断する切断装置と、前記巻取長決定部が決定した巻取長さのテープを前記テープ巻取装置が巻き取った時点で前記テープを前記切断装置に切断させる切断制御部とを有することを特徴とする。
【０００９】
請求項１に記載の発明によれば、巻取長決定部がテープの欠陥部分の位置データに基づいて前記テープを切断する長さを決定するため、テープの欠陥部分を排除しながらテープを切り出し、無駄になる部分を少なくすることができる。
【００１０】
また、請求項１に記載の発明によれば、巻取長決定部で、最も無駄なくテープを巻き取れる巻取長さの組合せが計算される。そのため、無駄を最小限に抑える巻取長さの組合せにおいてテープを切断することができる。
【発明の効果】
【００１１】
請求項１に記載の発明によれば、巻取長決定部がテープの欠陥部分の位置データに基づいて前記テープを切断する長さを決定するため、テープの欠陥部分を排除しながらテープを切り出し、無駄になる部分を少なくすることができる。
【発明を実施するための最良の形態】
【００１２】
〔第１の実施の形態〕
以下、本発明の実施の形態について、適宜図面を参照しながら詳細に説明する。参照する図面において、図１は、第１の実施の形態に係るテープ切出し装置の構成を示すブロック図である。なお、第１の実施の形態においては磁気テープに適用する場合を想定する。
【００１３】
図１に示すように、第１の実施の形態に係るテープ切出し装置１は、パンケーキＰから磁気テープＭＴを供給するテープ供給装置１０と、供給された磁気テープＭＴを巻き取るテープ巻取装置２０と、パンケーキＰ内における磁気テープＭＴの欠陥部分の位置データを記憶する記憶部３０と、磁気テープＭＴの巻取長さを決定する巻取長決定部４０と、テープ供給装置１０とテープ巻取装置２０の間に配置される切断装置５０と、切断装置５０の切断を制御する切断制御部６０とから構成される。
【００１４】
テープ供給装置１０は、磁気テープＭＴをリールＲ１に巻回されたパンケーキＰを設置され、このパンケーキＰから磁気テープＭＴをテープ巻取装置２０に供給する装置である。リールＲ１は、図示しないモータにより所定の回転数で回転され、外周に巻回された磁気テープＭＴを所定の速度で巻取装置２０に向けて送り出す。
【００１５】
テープ巻取装置２０は、テープ供給装置１０から供給される磁気テープＭＴをリールＲ２に巻き取る装置である。巻取装置２０のリールＲ２は、図示しないモータにより所定の回転数で回転され、磁気テープＭＴを所定の速度で巻き取り、リールＲ２の外周に巻回させる。なお、テープ供給装置１０とテープ巻取装置２０の間には、複数のガイドローラＧが配設されており、磁気テープＭＴはガイドローラＧに案内されつつ、テープ巻取装置２０のリールＲ２に巻き取られる。
【００１６】
記憶部３０は、パンケーキＰ内における磁気テープＭＴの欠陥部分の位置データを記憶する。
パンケーキＰから供給される磁気テープＭＴには、パンケーキＰがテープ供給装置１０に設置される前に、図示しないサーボライタによりサーボ信号を予め書き込まれており、サーボライタに備えられた検査装置Ｓにおいて、サーボ信号の欠陥の有無が判断される。各パンケーキには、そのパンケーキを特定する番号とそのパンケーキ内における欠陥の位置を対応付けて、磁気テープＭＴの先端部分に付されるバーコードラベルＢＣなどに記録されている。そして、切出し装置１は、バーコードラベルＢＣから読み出したパンケーキの番号と、欠陥の位置を記憶部３０に記憶する。なお、磁気テープＭＴの欠陥として、ここではサーボ信号の欠陥を例示したが、欠陥はサーボ信号に限られず、磁性層が剥がれたことによるピンホールや、表面精度、磁気テープＭＴの幅又は直線性など、他の不具合についても同様に本発明を適用できる。
【００１７】
巻取長決定部４０は、パンケーキＰ内における欠陥部分の位置データに基づいて、複数の種類の巻取長さの中から、なるべく磁気テープＭＴが有効活用できるような巻取長さを決定する。たとえば、最初に設定された巻取長さ内に欠陥部分を含んでいる場合、その設定された巻取長さよりも短い巻取長さで欠陥部分を含まず巻き取れないかを判断して、その巻取長さを決定する。なお、複数種類の巻取長さとは、例えば各種製品の規格で定められている長さを想定し、それぞれ異なるチャンネルで設定されている。
【００１８】
切断装置５０は、カッタ５１を有しており、カッタ５１は、磁気テープＭＴを切断する。また、切断制御部６０は、巻取長決定部４０が決定した巻取長さの磁気テープＭＴをテープ巻取装置２０が巻き取った時点で磁気テープＭＴを切断装置５０に切断させる。
【００１９】
次に、図２、図３を参照しながら、第１の実施の形態に係るテープ切出し装置１の動作について説明する。図２は、巻取長決定部が巻取長さを決定する手順を説明するためのフローチャートであり、図３は、巻取長さの決定の仕方を説明するための磁気テープの図である。
まず、テープ供給装置１０に、欠陥部分の位置データを記憶部３０に記憶されているパンケーキＰを装着する。このとき、パンケーキＰに付されているバーコードＢＣを読み出すことにより、パンケーキＰを特定するとともに、そのパンケーキＰの欠陥部分の位置データを読み出すことができる。
巻取長決定部４０は、テープ供給装置１０に設置されたパンケーキＰについて、図３に示す磁気テープＭＴの巻取始端Ａからの巻取長さを、チャンネルを切り換えながら、複数種類ある巻取長さの中から決定する。ここで、複数種類の巻取長さについては、５００ｍ、３００ｍ、２００ｍ、１００ｍがあるものとし、基本の巻取長さとして予め設定されている巻取長さは５００ｍとする。
【００２０】
巻取長決定部４０の動作について、図２を参照しながら説明する。
まず、Ｓ１において、巻取始端Ａから、予め設定された巻取長さである５００ｍ内に欠陥部分があるか否かを判断する。Ｓ１で、５００ｍ内に欠陥がない場合には（Ｎｏ）、Ｓ２に進み、設定された巻取長さ（５００ｍ）で巻き取るように決定する。そして、Ｓ２で、５００ｍ内に欠陥がある場合には（Ｙｅｓ）、Ｓ３に進み、欠陥部分を排除しながら、より短い巻取長さの製品用に巻き取れないかを判断する。Ｓ３で、より短い長さの製品用に巻き取れると判断した場合（Ｙｅｓ）、たとえば、３００ｍで巻き取れる場合には、Ｓ５に進み、３００ｍで巻き取ることを決定する。なお、Ｓ３においては、より短い長さの製品用に巻き取れないかを、一番短い巻取長さまで判断するので、３００ｍでも巻き取れない場合は２００ｍ、１００ｍで巻き取れないかを順次判断する。たとえば、図３のＣの位置から欠陥部分を含まないようにするためには、３００ｍおよび２００ｍでは巻き取れないが、１００ｍの巻取長さで巻き取れるため、１００ｍで巻き取ることを決定していることを表している。
【００２１】
Ｓ３で、より短い長さの製品用に巻き取れないと判断した場合（Ｎｏ）、すなわち、次の巻取始端から一番短い巻取長さ（１００ｍ）内に欠陥部分を含む場合（図３（Ｄ〜Ｅ））には、Ｓ４に進み、捨巻きリールなどに欠陥部分を含むように巻き取る。
そして、Ｓ２、Ｓ４またはＳ５において、巻取長さを決定したら、その巻取長さの終端部から次の巻取長さを決定するため、再度同じ手順を繰り返す。
【００２２】
以下、図３を参照しながら、パンケーキＰの巻取長さの決定の仕方の一例について説明する。
第１回目（Ａ〜Ｂ間）の巻取りでは巻取始端Ａから５００ｍ以内に欠陥部分を含まないため、５００ｍ巻き取ることを決定している。第２回目（Ｂ〜Ｃ間）の巻取りでは巻取始端Ｂから５００ｍ以内に欠陥部分を含むが、３００ｍ以内には含まないため、３００ｍ巻き取ることを決定している。第３回目（Ｃ〜Ｄ間）の巻取りでは、巻取始端Ｃから５００ｍ、３００ｍ、２００ｍ以内に欠陥部分を含むが、１００ｍ以内には含まないため、１００ｍで巻き取ることを決定している。次の巻取り（Ｄ〜Ｅ）では、一番短い巻取長さである１００ｍ以内に欠陥部分を含むため、欠陥部分を含むようにその位置まで巻き取ることを決定する。さらに、図２に示すフローチャートに従って、同じ手順を繰り返す。
【００２３】
以上によれば、第１の実施の形態に係るテープ切出し装置において、以下の効果を得ることができる。
巻取長決定部４０が磁気テープＭＴの欠陥部分の位置データに基づいて磁気テープＭＴを切断する長さを決定するため、磁気テープＭＴの欠陥部分を排除しながら有効活用できる巻取長さで磁気テープＭＴを切り出し、無駄になる部分を少なくすることができる。
【００２４】
以上、第１の実施の形態について説明したが、本発明は、以下の形態でも実施することができる。
たとえば、第１の実施の形態においては、巻取長さの決定方法を、欠陥部分を含まないように、より短い巻取長さの製品用として巻き取れないかを判断して決定しているが、欠陥部分の位置データに基づいて、一のパンケーキから、欠陥部分を含まずに最も無駄なくテープを巻き取れる巻取長さの組合せを計算して、巻取長さを決定するようにすることもできる。このようにすることで、無駄になる磁気テープをより少なくすることができる。
【００２５】
〔第２の実施の形態〕
次に、テープ切出し装置に用いることのできる、第２の実施の形態に係るテープ生産支援装置について、図面を参照しながら詳細に説明する。参照する図面において、図４は、第２の実施の形態に係るテープ生産支援装置の構成を示す図であり、図５は、テープ生産支援装置の動作手順を説明するためのフローチャートであり、図６は、巻取長さの決定の仕方を説明するための磁気テープの図である。
【００２６】
図４に示すように、テープ生産支援装置２は、入力部７１と、記憶部７２と、演算部７３と、割合演算部７４と、出力部７５とから構成される。これらは、一台のＰＣで制御することができる。
まず、入力部７１においては、当日の生産計画で生産する予定の複数種類の巻取長さを設定することができる。ここでは、５００ｍ、３００ｍ、２００ｍが当日の生産予定の巻取長さとする。
そして、記憶部７２では、一のパンケーキＰ内における磁気テープの欠陥部分の位置データを記憶している。記憶方法は前記した記憶部３０と同様に、バーコードラベルＢＣに基づくものである。
演算部７３では、記憶部７２における磁気テープの欠陥部分の位置データと入力部７１から入力された複数種類の巻取長さに基づいて、欠陥部分を排除しながら最も無駄がないように巻き取れる巻取長さの組合せを計算する。
さらに、割合演算部７４が、演算部７３が計算した巻取長さの組合せに基づき、そのパンケーキＰから使用できる磁気テープの割合を求め、その割合が所定値以上であれば、そのパンケーキＰを使用し、所定値未満であればそのパンケーキＰをその日は使用しないことを決定する。なお、この使用の可否については、このパンケーキＰの使用可否情報として記憶部７２に記憶させ、この後、作業者等が誤ってこのパンケーキＰをテープ切出し装置に装着した場合であっても、切り出させないように切出し装置において制御できるとよい。
出力部７５は、割合演算部７４の判断結果を表示する。
【００２７】
次に、図５を参照しながら、テープ生産支援装置２の動作手順を説明する。
まず、Ｓ１１で、一のパンケーキＰのバーコードラベルＢＣの情報に基づき、当日生産する巻取長さの組合せで、最も無駄のない組合せを計算する。たとえば、欠陥から欠陥までのテープ長さ以下となる巻取長さの組合せの全てを計算し、計算した各組合せで巻き取れる長さを比較して、最も長く巻き取れる組合せを選択する。より具体的には、図６に示すように、欠陥部分と欠陥部分の間が４１０ｍある場合、５００ｍ、３００ｍ、２００ｍの巻取長さの組合せでは、２００ｍが２本と無駄になる部分が１０ｍという組合せや、３００ｍが１本と無駄になる部分が１１０ｍという組合せ等、複数種類想定することができる。この場合、磁気テープを最も有効に活用できる組合せは、２００ｍを２本の組合せ（無駄になる部分は１０ｍ）であるので、Ｓ１１においては、この組合せが計算される。
【００２８】
Ｓ１２では、Ｓ１１で計算された組合せで、そのパンケーキＰから使用できる磁気テープの割合を計算する。そして、Ｓ１３で、割合が所定値未満（Ｎｏ）であれば、Ｓ１４に進み、記憶部７２にそのパンケーキＰが使用できないように使用可否情報を記録（マーキング）する。また、Ｓ１３で、割合が所定値以上（Ｙｅｓ）である場合、Ｓ１５に進み、そのパンケーキＰを使用するように記録する。なお、使用可否情報を記録することなく、使用の可否を画面上に出力し、それを見たオペレータが使用の可否を最終的に決定してもよい。
【００２９】
以上によれば、次のような効果を得ることができる。
当日の生産計画に合わせた複数種類の巻取長さの中から、欠陥部分を含まずに最も無駄なくテープを巻き取れる巻取長さの組合せを演算部７３が計算する。そして、割合演算部７４が、その巻取長さの組合せに基づき、その一のパンケーキＰから使用できるテープの割合を求め、その割合が所定値以上であれば、そのパンケーキを使用し、所定値未満であれば、当日はそのパンケーキＰを使用しないように決定する。この判断結果は、出力部７５により表示されるため、当日の生産において、そのパンケーキＰを使用したり使用しなかったりすることができ、磁気テープの有効活用を図ることができる。
なお、所定値は、管理者等が適宜変更できるようにすることによって、設計変更を容易にできる。
【００３０】
以上、本実施の形態について説明したが、本発明はこれに限定されるものではなく、本発明の趣旨を逸脱しない範囲で適宜設計変更が可能である。
たとえば、本実施の形態では、割合演算部７４において、割合が所定値以上であればパンケーキＰを使用することを決定したが、割合演算部においては、割合のみを計算し、出力部においてその割合を表示させることで、管理者等がパンケーキＰを使用するか否かを判断するようにすることもできる。これにより、適宜最適な判断を下すことができる。
【図面の簡単な説明】
【００３１】
【図１】第１の実施の形態に係るテープ切出し装置の構成を示すブロック図である。
【図２】巻取長決定部が巻取長さを決定する手順を説明するためのフローチャートである。
【図３】巻取長さの決定の仕方を説明するための磁気テープの図である。
【図４】第２の実施の形態に係るテープ生産支援装置の構成を示す図である。
【図５】テープ生産支援装置の動作手順を説明するためのフローチャートである。
【図６】巻取長さの決定の仕方を説明するための磁気テープの図である。
【符号の説明】
【００３２】
１        テープ切出し装置
２        テープ生産支援装置
１０      テープ供給装置
２０      テープ巻取装置
３０      記憶部
４０      巻取長決定部
５０      切断装置
６０      切断制御部
７１      入力部
７２      記憶部
７３      演算部
７４      割合演算部
７５      出力部
Ｐ        パンケーキ
ＭＴ      磁気テープ
Ｒ１，Ｒ２  リール
【図１】
2007001771.tif 000003
【図２】
2007001771.tif 000004
【図３】
2007001771.tif 000005
【図４】
2007001771.tif 000006
【図５】
2007001771.tif 000007
【図６】
2007001771.tif 000008